(57)【要約】【課題】収納室以外に薬剤を収納する小容器等を用いる場合、その開封を容易に、しかも確実に行うことができる医療用複室容器及びその製造方法を提供する。【解決手段】薬剤を収納する２つの収納室９，１１、及びこれら収納室を仕切る仕切り用封止部１３を有する容器本体５と、この容器本体５に取り付けられ収納室９から薬剤を排出可能な排出部７とを備え、仕切り用封止部１３は、容器本体５の対向する内壁面５ａ，５ｂが離間することにより開封する医療用複室容器であって、仕切り用封止部１３は、薬剤が収納された小容器１５を備えており、この小容器１５は、使用に際して容器本体５の内壁面５ａ，５ｂが離間するのに伴って開封するように構成されている。【選択図】    図１
2004313487.tif 000002
【特許請求の範囲】
【請求項１】
薬剤を収納する複数の収納室、及びこれら収納室を仕切る仕切り用封止部を有する容器本体と、該容器本体に取り付けられ前記収納室から薬剤を排出可能な排出部とを備え、前記仕切り用封止部は、前記容器本体の対向する内壁面が離間することにより開封する医療用複室容器であって、
前記仕切り用封止部は、薬剤が収納される小収納室を備えており、
該小収納室の薬剤は、前記仕切り用封止部の開封に伴って流出し、前記収納室の薬剤と混合されるように構成されている医療用複室容器。
【請求項２】
前記仕切り用封止部は、前記小収納室を形成する小容器を備えるとともに、該小容器を前記容器本体の対向する内壁面の間に固着することで形成されており、
該小容器は、前記内壁面の離間に伴って開封し前記仕切り用封止部を挟む収納室を連通させるように構成されている請求項１に記載の医療用複室容器。
【請求項３】
前記小容器は、該小容器を挟む各収納室側の端縁それぞれが開封可能に構成されている請求項２に記載の医療用複室容器。
【請求項４】
前記小容器は多層フィルムにより構成され、
使用に際して前記容器本体の対向する内壁面が離間すると、前記小容器は前記多層フィルムの層間剥離に伴って開封する請求項２または３に記載の医療用複室容器。
【請求項５】
前記多層フィルムは、複数の樹脂フィルムにより構成され、隣接する前記樹脂フィルムは互いに相溶性が低くなっている請求項４に記載の医療用複室容器。
【請求項６】
前記多層フィルムは、ポリエチレンからなるフィルムと、これに隣接して積層される環状ポリオレフィンからなるフィルムとを有している請求項５に記載の医療用複室容器。
【請求項７】
前記小容器は、互いに相溶性の低い樹脂フィルムを熱融着することで形成された開封部を備えており、
使用に際して前記容器本体の対向する内壁面が離間すると、前記開封部が開封する請求項２に記載の医療用複室容器。
【請求項８】
前記小容器は、該小容器を挟む各収納室側の端縁それぞれに前記開封部を備えている請求項７に記載の医療用複室容器。
【請求項９】
前記開封部は、ポリエチレンからなる樹脂フィルムと、ポリプロピレン又は環状オレフィンからなる樹脂フィルムとを熱融着することで構成されている請求項７または８に記載の医療用複室容器。
【請求項１０】
前記容器本体及び小容器において互いに対向する部分は、同一の材料からなる樹脂フィルムで構成され、該対向部分を熱融着することで前記小容器と容器本体とが固着されている請求項２から９のいずれかに記載の医療用複室容器。
【請求項１１】
薬剤が収納されるとともに、開封可能な樹脂フィルムにより袋状に形成された小容器を準備する第１工程と、
樹脂フィルムによって前記小容器を挟んだ後、該樹脂フィルムの周縁を一部を残して熱融着し、袋状の容器本体を形成する第２工程と、
前記第２工程と同時に或いは別個に、前記小容器を前記容器本体の対向する内壁面に熱融着して仕切り用封止部を形成し、前記容器本体に前記仕切り用封止部を挟む収納室を形成する第３工程と、
前記容器本体周縁の熱融着がなされていない非融着部から前記各収納室に薬剤を注入する第４工程と、
前記薬剤の注入部分を封止する第５工程と
を備えている医療用複室容器の製造方法。
【請求項１２】
前記第４工程は、前記容器本体周縁の非融着部の少なくとも１つに薬剤排出部材を液密状態に取り付けた後、該薬剤排出部材を介して薬剤を注入する請求項１１に記載の医療用複室容器の製造方法。
【請求項１３】
前記第５工程は、前記容器本体周縁の非融着部の少なくとも１つに薬剤排出部材を液密状態に取り付けることで該非融着部を封止し、その他の非融着部を熱融着により封止する請求項１１に記載の医療用複室容器の製造方法。
【発明の詳細な説明】
【０００１】
【発明の属する技術分野】
本発明は、同時に配合すると経時変化を起こすような不安定な各種薬剤（液剤、粉末若しくは固形剤）を個別に収納する複数の収納室を備えた医療用複室容器及びその製造方法に関するものである。
【０００２】
【従来の技術】
静脈注射により患者に投与される薬剤の中には、予め配合すると望ましくない経時的変化を起こすような不安定な薬剤がある。例えばアミノ酸輸液とブドウ糖輸液とを配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤に対しては、混合前の成分を個別に収納する医療用複室容器が用いられることが多い。この医療用複室容器は、個別に薬剤を収納する２つの収納室を備え、各収納室間を仕切り用弱シール部で仕切ったものである。仕切り用弱シール部は、対向するフィルム面を熱融着することで構成され、使用に際して一方の収納室を押圧すると、収納室内の圧力が高まって開封するようになっている。仕切り用弱シール部が開封すると、両収納室が連通して両薬剤を混合することができ、この混合液を患者に投与する。
【０００４】
ところで、最近、上記のような複室容器では、２つの収納室に薬剤を収納するのに加え、ビタミン等の薬液を別個に収納することが検討されている。このような複室容器としては、例えば特許文献１に開示されているものがある。この特許文献１には、ビタミンが収納された小容器を一方の収納室内に固着することが開示されている。小容器は押圧によって開封するように構成されており、使用の際には、収納室の外部から小容器を押圧して開封させ、内部のビタミン液を両収納室の薬剤と混合させるようになっている。
【０００５】
【特許文献１】
特開平１１−１５８０６１号公報
【０００６】
【発明が解決しようとする課題】
ところが、小容器の開封操作は、仕切り用弱シール部を開封操作とは別個に行う必要があるため、容器を使用する際の作業が煩雑になるという問題がある。特に、多忙な医療現場においては、このような煩雑な作業は作業者にとって大きな負担となることが多い。
【０００７】
本発明は、上記問題を解決するためになされたものであり、収納室以外に薬剤を収納する小容器等を用いる場合、その開封を容易に、しかも確実に行うことができる医療用複室容器及びその製造方法を提供することを目的とする。
【０００８】
【課題を解決するための手段】
本発明にかかる医療用複室容器は、上記問題を解決するためになされたものであり、薬剤を収納する複数の収納室、及びこれら収納室を仕切る仕切り用封止部を有する容器本体と、該容器本体に取り付けられ前記収納室から薬剤を排出可能な排出部とを備え、前記仕切り用封止部は、前記容器本体の対向する内壁面が離間することにより開封する医療用複室容器であって、前記仕切り用封止部は、薬剤が収納される小収納室を備えており、該小収納室の薬剤は、前記仕切り用封止部の開封に伴って流出し、前記収納室の薬剤と混合されるように構成されている。
【０００９】
この構成によれば、仕切り用封止部の中に薬剤を収納する小収納室が形成されているため、使用に際して仕切り用封止部を開封すれば、自動的に小収納室から薬剤が流出し、収納室内の各薬剤と混合することができる。したがって、従来例のように仕切り用封止部の開封とは別個に、小容器の開封を行う作業が不要になり、薬剤投与作業の簡素化を図ることができる。
【００１０】
上記のような小収納室を形成するには、種々の態様が考えられるが、例えば、小収納室を形成する小容器を容器本体の対向する内壁面の間に固着して仕切り用封止部を構成することができる。このとき、小容器が容器本体内壁面の離間に伴って開封し、仕切り用封止部を挟む両収納室を連通させるように構成することが好ましい。このようにすると、薬剤が収納された小容器を準備し、これを容器本体の内壁面に固着して仕切り用封止部を形成するようにすればよいため、複室容器の製造を容易に行うことができる。
【００１１】
また、小容器の開封を容易にするためには、小容器において、これを挟む両収納室側の端縁それぞれを開封可能に構成することが好ましい。
【００１２】
小容器は、種々の態様にすることができるが、例えば層間剥離を生ずる多層フィルムにより構成することができる。このようにすると、使用に際して前記容器本体の対向する内壁面が離間した際に、小容器は多層フィルムの層間剥離に伴って開封する。したがって、小容器を確実に開封することができ、薬剤を確実に混合することができる。このとき、多層フィルムを、複数の樹脂フィルムにより構成し、隣接する樹脂フィルムが互いに相溶性が低いものとすれば、層間剥離を容易に生じさせることができる。そのような例として、多層フィルムを、例えばポリエチレンからなるフィルムと、これに隣接して積層される環状ポリオレフィンからなるフィルムとを有するものとすることができる。
【００１３】
また、次のように小容器を構成することもできる。例えば、互いに相溶性の低い樹脂フィルムを熱融着して開封部を形成し、仕切り用封止部の開封時に容器本体の対向する内壁面が離間すると、この開封部が開封するように構成することができる。このようにすると、仕切り用封止部の開封と同時に小容器を開封することができ、薬剤の投与作業を容易に行うことができる。このとき、開封部を収納室側の端縁それぞれに設けると、小容器の開封したときに収納室を容易に連通させることができる。また、開封部は、ポリエチレンからなる樹脂フィルムと、ポリプロピレン又は環状オレフィンからなる樹脂フィルムとを熱融着して形成することができる。
【００１４】
また、容器本体及び小容器において互いに対向する部分を同一の材料からなる樹脂フィルムで構成し、この対向部分を熱融着することで小容器と容器本体とを固着することが好ましい。これにより、容器本体と小容器とを強固に熱融着することができるため、容器本体内壁面が離間しようとする力を、小容器に対して確実に伝達することができる。その結果、小容器を確実に開封することができる。
【００１５】
また、本発明にかかる医療用複室容器の製造方法は、薬剤が収納されるとともに、開封可能な樹脂フィルムにより袋状に形成された小容器を準備する第１工程と、樹脂フィルムによって前記小容器を挟んだ後、該樹脂フィルムの周縁を一部を残して熱融着し、袋状の容器本体を形成する第２工程と、前記第２工程と同時に或いは別個に、前記小容器を前記容器本体の対向する内壁面に熱融着して仕切り用封止部を形成し、前記容器本体に前記仕切り用封止部を挟む収納室を形成する第３工程と、前記容器本体周縁の熱融着がなされていない非融着部から前記各収納室に薬剤を注入する第４工程と、前記薬剤の注入部分を封止する第５工程とを備えている。
【００１６】
この構成により、仕切り用封止部の開封と同時に小容器の開封が可能な医療用複室容器を製造することができる。この場合において、小容器の開封部分は、収納室側を向く端縁に形成することが好ましい。
【００１７】
上記製造方法において、第４工程において、容器本体周縁の非融着部の少なくとも１つに薬剤排出部材を液密状態に取り付けた後、この薬剤排出部材を介して薬剤を注入して複室容器を製造することができる。或いは、第５工程において、前記容器本体周縁の非融着部の少なくとも１つに薬剤排出部材を液密状態に取り付けることで該非融着部分を封止し、その他の非融着部を熱融着により封止することで、複室容器を製造することもできる。
【００１８】
【発明の実施の形態】
以下、本発明に係る医療用複室容器の一実施形態について図面を参照しつつ説明する。図１は本実施形態に係る医療用複室容器の平面図、図２は図１のＡ−Ａ線断面図である。
【００１９】
図１に示すように、この医療用複室容器１は、矩形状の２枚のフィルムの周縁部３を熱融着して袋状に形成された容器本体５と、この容器本体５に接続され内部にゴム栓（図示省略）を有する薬剤排出部７とを備えている。容器本体５は、長手方向に並べて配置され薬剤が封入される第１収納室９及び第２収納室１１を有しており、２つの収納室９，１１は仕切り用封止部１３で仕切られている。また、上記した薬剤排出部７は容器本体５における第１収納室９側の端部に接続されており、この薬剤排出部７と反対側の端部には、容器１を吊り掛けるための吊掛孔１７が形成されている。
【００２０】
各収納室９，１１には、予め混合或いは溶解しておくとメイラード反応等の経時変化を起こすため隔離する必要がある各種薬剤ａ，ｂがそれぞれ封入されており、例えば一方の収納室にアミノ酸を含有する溶液、他方の収納室にブドウ糖を含有する溶液を収納することができる。また、必要に応じていずれか一方の収納室に電解質等を封入することもできる。なお、液剤だけでなく、いずれか一方の収納室に固形または粉末薬剤を収納することもできる。
【００２１】
なお、容器本体５を構成するフィルムの材質としては、ポリエチレン、ポリプロピレン、ポリスチレン等の熱可塑性樹脂等、種々の樹脂材料を採用することができる。また、単層のフィルムに限られず、多層構造のフィルムを使用することもでき、例えば、内層及び外層がポリエチレン、ポリプロピレン等のポリオレフィンで、中間層が環状オレフィンコポリマーである３層構造のフィルムを使用することができる。
【００２２】
仕切り用弱シール部１３は、ビタミンＤ溶液が収納された小容器１５を、容器本体５の２枚のフィルムの間に挟んで熱融着することで形成されている。小容器１５は、多層フィルム１５ａ，１５ｂの周縁を熱融着することにより袋状に形成されたものであり、容器本体５を上下に分割するように延びている。多層フィルム１５ａ，１５ｂは層間剥離が生じやすい３層構造のフィルムで構成されており、例えばポリ環状オレフィンをポリエチレンで挟んだものとすることができる。但し、これ以外にも、他のフィルムと相溶性の低い樹脂を中間層に配置したものとすれば、層間剥離を起こしやすいものとすることができ、例えば、ポリプロピレンをポリエチレンで挟んだものとすることもできる。このとき、最も内側の層の厚さを５〜５０μｍとするのが好ましい。なお、このような多層フィルムで小容器１５を構成する場合には、そのうちの一層を必要に応じてガスバリア層（例えばシリカ蒸着層、エチレン・ビニルアルコール共重合体層等）や遮光層（アルミラミネート層等）、或いは吸・収着バリア層（環状オレフィン樹脂層）とすることができる。
【００２３】
また、小容器１５は、次のようにして容器本体５に取り付けられている。すなわち、図２（ａ）に示すように、小容器１５の端縁のうち、第１及び第２収納室９，１１側を向く端縁を、容器本体５の対向するフィルム５ａ，５ｂそれぞれに強固に熱融着している。この融着部分１９は、容器本体５の周縁部３のように通常は剥離しない高い強度で融着されている。このとき、小容器１５と容器本体５内壁面との互いに対向する部分を、同一の樹脂材料で構成することが好ましい。このようにすると、熱融着をしたときに両者を強固に固着することができる。
【００２４】
なお、小容器１５には、上記ビタミンＤ溶液以外にも、各収納室９，１１に封入されている薬剤に直接混入するのが好ましくない種々の薬剤、例えば抗生物質、抗癌剤、強心剤等の粉末剤や液剤などを広範囲に選択することができる。また、液剤としては、特に限定されるものではないが、ビタミン類や微量元素の液剤、生理食塩液やブドウ糖液などの溶解液、輸液などを採用することができる。
【００２５】
次に、上記のように構成された医療用複室容器の使用方法について説明する。複室容器１内の薬剤を患者に投与するには、まず、第１或いは第２収納室９，１１を手で押さえる等して押圧し、収納室内の圧力を高める。これにより、容器本体５の対向するフィルム５ａ，５ｂは互いに離間するように移動し、図２（ａ）に示すように、この離間に伴う力Ｆが小容器１５に作用する。このとき、小容器１５の２枚の多層フィルム１５ａ，１５ｂは熱融着により容器本体５のフィルム５ａ，５ｂに固定されているため、多層フィルム１５ａ，１５ｂは容器本体５のフィルム５ａ，５ｂとともに離間される。その結果、図２（ｂ）に示すように、小容器１５を構成するいずれかの多層フィルム１５ａ，１５ｂが層間剥離を起こし、これに伴って多層フィルムが破断する。
【００２６】
ここで、小容器１５は、仕切り用封止部としての役割も果たしているので、このように多層フィルム１５ａ，１５ｂが破断すると、図２（ｂ）に示すように、小容器１５内の薬剤が流出するのみならず両収納室９，１１が連通する。その結果、各収納室９，１１及び小容器１５内の薬剤が混合される。これに続いて、薬剤排出部７のゴム栓に導管（図示省略）が接続された刺栓針（図示省略）を刺入すると、混合された薬液が導管を介して患者に投与される。
【００２７】
以上のように、本実施形態によれば、両収納室９，１１を仕切る仕切り用封止部１３が薬液を収納する小容器１５により構成されているため、使用に際して仕切り用封止部１３を開封すれば、自動的に小容器１５が開封し、両収納室９，１１及び小容器１５内の各薬剤を混合することができる。したがって、従来例のように仕切り用封止部の開封とは別個に、小容器の開封を行う作業が不要になり、薬剤投与作業の簡素化を図ることができる。
【００２８】
なお、本発明に係る医療用複室容器は上記した実施形態に限定されるものではなく、その趣旨を逸脱しない限りにおいて種々の変更が可能である。例えば、上記実施形態では、小容器１５を多層フィルムにより構成しているが、単層のフィルムで小容器を構成することもできる。すなわち、図３（ａ）に示すように、小容器１５の周縁のうち、各収納室９，１１を向く端縁それぞれに熱融着等による開封部２１を形成する。この開封部２１は、比較的弱い強度で熱融着されている。そして、各開封部２１を構成するフィルム１５ａ，１５ｂの外面を、容器本体５の内壁面に熱融着して仕切り用封止部１３を形成する。このとき、小容器１５と容器本体５との熱融着部分１９が開封部２１に作用して、その開封強度が高くならないようにする。すなわち、開封部２１の外面のみが容器本体５の内壁面に熱融着されるようにする。
【００２９】
この構成によれば、図３（ｂ）に示すように、容器本体５のフィルム５ａ，５ｂの離間に伴って、比較的弱い強度の開封部２１が開封し、両収納室９，１１及び小容器１５の薬剤が混合される。したがって、薬剤の投与作業を容易に且つ確実に行うことができる。
【００３０】
また、上記実施形態では、小容器１５が容器本体５の幅方向に延び、その端部を連結するように形成されているが、これに限定されるものではない。例えば、図４に示すように、小容器１５の長さを、容器本体５の幅よりも狭くすることもできる。この場合、小容器１５から容器本体５の周縁までの部分Ｌでは、容器本体５のフィルム同士５ａ，５ｂを高い強度で熱融着する。そして、小容器１５と容器本体５のフィルム５ａ，５ｂとは、図２で示したように小容器１５における各収納室９，１１を向く各端縁と容器本体５の両フィルム５ａ，５ｂとを熱融着する（図４の符号１９）。このようにすると、小容器１５と容器本体５周縁との間の部分Ｌは、強度の高い熱融着がなされているため、収納室９，１１を押圧しても開封しない。しかしながら、小容器１５は、図２で示したように開封するため、この部分が仕切り用封止部１３として機能し、開封に伴って両収納室９，１１が連通するとともに、各収納室９，１１と小容器１５の薬剤とが混合される。なお、図５に示すように、小容器１５の形状は菱形（ａ）や楕円形（ｂ）であってもよく、この場合、容器本体５への取り付け方は、図４で示したのと同様である。
【００３１】
また、上記実施形態では、小容器１５により仕切り用封止部１３を形成しているが、小容器１５を使用せず、容器本体５の両フィルム５ａ，５ｂを熱融着した仕切り用封止部１３の中に薬剤を収納する小収納室を形成することもできる。この構成によっても、仕切り用封止部の開封とともに小収納室から薬剤が流出するため、薬剤の投与作業を簡素化することができる。但し、仕切り用封止部１３内に収納する薬剤が例えば光劣化性等を有するような特殊なものである場合には、小容器１５を使用することが好ましい。これは、小容器１５を使用すると、容器本体５のすべてを上記のような特殊な薬剤に対応したフィルム材料で形成する必要がなく、小容器１５のみをその薬剤に応じたフィルム材料で形成すればよいからであり、これによって製造コストを低減できるからである。
【００３２】
また、上記実施形態では、小容器１５の収納室９，１１側の端縁が開封するように構成されているが、これに限定されるものではなく、小容器１５の開封によって両収納室９，１１が連通するように構成されていれば、小容器１５における開封位置は特に限定されるものではない。
【００３３】
また、上記実施形態の医療用複室容器では、収納室を２つ設けているが、これに限定されるものではなく、３以上の収納室を備えるようにすることもできる。この場合、３つの収納室を仕切るには２つの仕切り用封止部が必要となるが、そのうちの１つを上記のような薬剤が収納されたものとしてもよいし、すべての仕切り用封止部に薬剤を収納することもできる。
【００３４】
次に、上記実施形態における医療用複室容器の製造方法の一例を示す。以下の説明では、図１で示した複室容器の製造方法について説明する。図６（ａ）に示すように、まず、２枚の樹脂フィルム５ａ，５ｂの間に小容器１５を配置する。このとき、小容器１５は、樹脂フィルム５ａ，５ｂを上下方向（容器の長手方向）にほぼ均等に分割する位置に配置される。なお、この小容器１５は、予め他の設備で製造されたものであり、多層フィルムを袋状に形成し、その中に薬剤を封止したものである。
【００３５】
続いて、図６（ｂ）に示すように、容器本体５の周縁部３及び小容器１５の上下の端縁を高い強度で熱融着し、第１及び第２収納室９，１１と仕切り用封止部１３を形成する。このとき、容器本体周縁部３のうち、上下の端部の一部に熱融着を行わない非融着部３ａ，３ｂを形成しておく。次に、図７（ａ）に示すように、容器本体５上端の非融着部３ａから第１収納室９へ薬剤を注入した後、図７（ｂ）に示すように、この非融着部３ａに薬剤排出部（薬剤排出部材）を液密状態に取り付ける。続いて、容器本体下端の非融着部３ｂから第２収納室１１へ薬剤を注入した後、この部分を熱融着して封止する。こうして、医療用複室容器が完成する。
【００３６】
次に、図４のような長さが短い小容器を使用する場合の製造方法の一例を以下に示す。図８（ａ）に示すように、まず、筒状に形成された樹脂フィルム６を準備し、この中に小容器１５を配置する。小容器１５の配置の仕方は、図６で示したものと同じであり、樹脂フィルム６の上下方向の中央に小容器１５を配置する。続いて、図８（ｂ）に示すように、小容器１５を樹脂フィルム６に熱融着して仕切り用封止部１３を形成する。このときの熱融着の仕方は図４で示したとおりである。続いて、図９（ａ）に示すように、筒状の樹脂フィルム６の上端及び下端に薬剤排出部７を取り付けるとともに、熱融着して封止する。次に、図９（ｂ）及び図９（ｃ）に示すように、各薬剤排出部７から各収納室９，１１に薬剤を注入した後、薬剤排出部７を封止する。こうして、医療用複室容器が完成する。
【００３７】
以上、２種類の製造方法を示したが、上記のように、はじめに準備する容器本体５用の樹脂フィルムは、２枚が分離したものでもよいし、１枚のフィルムを筒状に形成したものを使用することもできる。また、薬剤の注入の仕方も、非融着部を形成してここから注入してもよいし、薬剤排出部７を取り付けて、ここから注入してもよい。また、これらの方法を適宜組み合わせて製造することもできる。
【００３８】
【発明の効果】
以上の説明から明らかなように、本発明に係る医療用複室容器及びその性ぞほうほうによれば、収納室以外に薬剤を収納する小容器等を用いる場合、その開封を容易に、しかも確実に行うことができる。
【図面の簡単な説明】
【図１】本発明に係る医療用複室容器の一実施形態を示す平面図である。
【図２】図１のＡ−Ａ線断面図である。
【図３】小容器の他の例を示す断面図である。
【図４】図１に示す医療用複室容器の他の例を示す図である。
【図５】小容器の他の例を示す図である。
【図６】図１に示す医療用複室容器の製造方法を示す図である。
【図７】図１に示す医療用複室容器の製造方法を示す図である。
【図８】図４に示す小容器を用いた医療用複室容器の製造方法を示す図である。
【図９】図４に示す小容器を用いた医療用複室容器の製造方法を示す図である。
【符号の説明】
１    医療用複室容器
３    周縁部
３ａ，ｂ  非融着部
５    容器本体
９，１１  収納室
１３    仕切り用封止部
１５    小容器
【図１】
2004313487.tif 000003
【図２】
2004313487.tif 000004
【図３】
2004313487.tif 000005
【図４】
2004313487.tif 000006
【図５】
2004313487.tif 000007
【図６】
2004313487.tif 000008
【図７】
2004313487.tif 000009
【図８】
2004313487.tif 000010
【図９】
2004313487.tif 000011